【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
サーフィン用具を対象とするフィンプラグ体であって、外周部、上面および下面を有する実質的に平坦な上部部分、この上面の少なくとも一つの開口から内側に延長するサーフィン用具フィンの基部要素を受け取る少なくとも一つのフィンキャビティー、および該下面から延長し、かつ上記の少なくとも一つのフィンキャビティーを取り囲む基部を有するフィンプラグ、および
上面、下面、この上面から下面まで延長するフィンプラグキャビティー、および前記の平坦な上部部分の外周部と実質的に等価な外周部を有し、そして高密度発泡体の周囲において該上面と該下面との間に延長する連続側壁を有する高密度発泡体を有し、
前記フィンプラグキャビティー内に前記のフィンプラグの基部を設け、そして前記フィンプラグを前記高密度発泡体に固着したことを特徴とするフィンプラグ体。
【請求項２】
前記高密度発泡体の連続側壁および前記フィンプラグの実質的に平坦な上部部分の外周部を実質的に上下に整列配置した請求項１に記載のフィンプラグ体。
【請求項３】
前記フィンプラグの実質的に平坦な上部部分が、前記の少なくとも一つの開口から前記外周部まで横方向に延長するフランジを有する請求項１または２に記載のフィンプラグ体。
【請求項４】
前記フィンプラグが、サーフィン用具フィンの２つの基部要素を受け取る２つのフィンキャビティーを有し、これらフィンキャビティーを、上面の２つの開口から内向きに延長した請求項３に記載のフィンプラグ体。
【請求項５】
前記２つの開口間においてよりも開口周囲において前記フランジを広く設定した請求項４に記載のフィンプラグ体。
【請求項６】
前記フィンプラグが、さらに、前記サーフィン用具フィンの基部要素を前記の少なくとも一つのキャビティー内に着脱自在に固定する固定手段を有する請求項１〜５のいずれか１項に記載のフィンプラグ体。
【請求項７】
前記フィンプラグの基部部分が、さらに、外面に少なくとも一つのリブ形成部分を有し、これによって液体接着剤との係合を強化する請求項１〜５のいずれか１項に記載のフィンプラグ体。
【請求項８】
前記フィンプラグが、さらに、前記の少なくとも一つのフィンキャビティーに蓋をする少なくとも一つのキャップを有する請求項１〜５のいずれか１項に記載のフィンプラグ体。
【請求項９】
前記フィンプラグが、さらに、前記の実質的に平坦な上部部分の上面から上向きに延長し、前記の少なくとも一つの開口の周囲に設けられる少なくとも一つの傾斜部分を有する請求項１〜５のいずれか１項に記載のフィンプラグ体。
【請求項１０】
前記高密度発泡体が、少なくとも７０ｋｇ／ｍ３の密度であり、ポリウレタン、ＥＰＳ、ＰＶＣまたはＰＥＴ発泡体から構成された請求項１〜５のいずれか１項に記載のフィンプラグ体。
【請求項１１】
外周部、上面および下面を有する実質的に平坦な上部部分、この上面の少なくとも一つの開口から内側に延長するサーフィン用具フィンの基部要素を受け取る少なくとも一つのフィンキャビティー、および該下面から延長し、かつ上記の少なくとも一つのフィンキャビティーを取り囲む基部を有するフィンプラグ、および
上面、下面、この上面から下面まで延長するフィンプラグキャビティー、および前記の平坦な上部部分の外周部と実質的に等価な外周部を有し、そして高密度発泡体の周囲において該上面と該下面との間に延長する連続側壁を有する高密度発泡体を有し、
前記フィンプラグキャビティーに前記のフィンプラグの基部を受け取り、そして前記フィンプラグと前記高密度発泡体を相互に固着したことを特徴とするフィンプラグ体キット。
【請求項１２】
前記高密度発泡体の前記連続側壁および前記フィンプラグの前記実質的に平坦な上部部分の外周部が実質的に上下に整列配置するように構成した請求項１１に記載のフィンプラグ体キット。
【請求項１３】
前記フィンプラグの実質的に平坦な上部部分が、前記の少なくとも一つの開口から前記外周部まで横方向に延長するフランジを有する請求項１１に記載のフィンプラグ体キット。
【請求項１４】
前記フィンプラグが、さらに、サーフィン用具フィンの前記基部要素を前記の少なくとも一つのキャビティー内に着脱自在に固定する固定手段を有する請求項１１〜１３のいずれか１項に記載のフィンプラグ体キット。
【請求項１５】
前記フィンプラグの前記基部部分が、さらに、外面に少なくとも一つのリブ形成部分を有し、これによって液体接着剤との係合を強化する請求項１１〜１３のいずれか１項に記載のフィンプラグ体キット。
【請求項１６】
前記フィンプラグが、さらに、前記平坦な上部部分の前記上面から上向きに延長し、前記の少なくとも一つの開口の周囲に設けられる少なくとも一つの傾斜部分を有する請求項１１〜１３のいずれか１項に記載のフィンプラグ体キット。
【請求項１７】
前記高密度発泡体が、少なくとも７０ｋｇ／ｍ３の密度であり、ポリウレタン、ＥＰＳ、ＰＶＣまたはＰＥＴ発泡体から構成された請求項１〜１３のいずれか１項に記載のフィンプラグ体キット。
【請求項１８】
請求項１〜１０のいずれか１項に記載の前記フィンプラグ体をサーフィン用具本体に装着する方法であって、
全体を通して均質な形状をもち、そしてこの形状が前記高密度発泡体の前記連続側壁と実質的に同じであるキャビティーを、サーフィン用具フィンを装着すべき、サーフィン用具本体下側の所定位置に形成する工程、
前記キャビティー内に接着剤を塗布する工程、および
前記キャビティー内に前記フィンプラグ体を挿入する工程を有する装着方法。
【請求項１９】
前記フィンプラグ体を前記キャビティー内に挿入したときに、前記フィンプラグの前記平坦な上部部分の前記上面が、前記サーフィン用具本体の下側の隣接面と実質的に同じ高さになるように、前記キャビティーの深さを設定する請求項１８に記載の方法。
【請求項２０】
前記キャビティーを形成する工程において、前記サーフィン用具本体の下側に設けたテンプレート使用し、このテンプレートに成形孔を形成し、そしてこの成形孔の形状を、前記フィンプラグの前記平坦な上部部分の前記外周と実質的に同じ形状に設定する請求項１８または１９に記載の方法。
【請求項２１】
前記サーフィン用具本体が、３０〜５０ｋｇ／ｍ３の密度であり、ポリウレタン、ＰＶＣまたはＥＰＳ発泡体から構成された請求項１８〜２０のいずれか１項に記載の方法。
【請求項２２】
請求項１１〜１７のいずれか１項に記載の前記キットの前記フィンプラグおよび高密度発泡体を装着する方法であって、
全体を通して均質な形状をもち、そしてこの形状が前記高密度発泡体の前記連続側壁と実質的に同じであるキャビティーを、サーフィン用具フィンを装着すべき、サーフィン用具本体下側の所定位置に形成する工程、
前記高密度発泡体の前記フィンプラグキャビティー内に接着剤を塗布する工程、
前記フィンプラグの前記基部部分を前記フィンプラグキャビティー内に挿入し、前記の平坦な上部部分を前記高密度発泡体の前記上面に着座させて、前記の平坦な上部部分の前記外周部を前記高密度発泡体の前記連続側壁と整合位置決めする工程、
前記キャビティー内に接着剤を塗布する工程、および
このキャビティー内に前記高密度発泡体を挿入する工程を有する装着方法。
【請求項２３】
請求項１〜１０のいずれか１項に記載の少なくともひとつのフィンプラグ体を内部に装着したサーフィン用具。